【手続補正書】
【提出日】平成20年8月8日(2008.8.8)
【手続補正１】
【補正対象書類名】特許請求の範囲
【補正対象項目名】全文
【補正方法】変更
【補正の内容】
【特許請求の範囲】
【請求項１】
下記構造式（１）〜（６）のいずれかで示される化合物を含有することを特徴とする電子写真感光体。
【化１】
2007052063.tif 000001
（式（１）〜（６）中、Ｘ１およびＸ２は、Ｏ、Ｃ（ＣＮ）Ｒ、Ｃ（ＣＮ）ＣＯＲ、Ｃ（ＣＮ）ＣＯＯＲ、Ｃ（ＣＯＯＲ）２、ＣＨＲまたはＮＲ（Ｒは、置換もしくは無置換の芳香族基または置換もしくは無置換の脂肪族基またはシアノ基を示す。）を示す。式（１）〜（６）中、Ｒ１〜Ｒ６は、置換もしくは無置換の芳香族基、置換もしくは無置換の脂肪族基、アルコキシ基、エステル基、ニトロ基、シアノ基、ハロゲン原子または水素原子を示す。）
【請求項２】
下記構造式（７）〜（１６）のいずれかで示される化合物を含有することを特徴とする電子写真感光体。
【化２】
2007052063.tif 000002
（式（７）〜（１６）中、Ｘ１は、Ｏ、Ｃ（ＣＮ）Ｒ、Ｃ（ＣＮ）ＣＯＲ、Ｃ（ＣＮ）ＣＯＯＲ、Ｃ（ＣＯＯＲ）２、ＣＨＲまたはＮＲ（Ｒは、置換もしくは無置換の芳香族基または置換もしくは無置換の脂肪族基またはシアノ基を示す。）を示す。式（７）〜（１６）中、Ｒ１〜Ｒ６は、置換もしくは無置換の芳香族基、置換もしくは無置換の脂肪族基、アルコキシ基、エステル基、ニトロ基、シアノ基、ハロゲン原子または水素原子を示す。）
【請求項３】
請求項１または２に記載の電子写真感光体と、帯電手段、現像手段およびクリーニング手段からなる群より選ばれた少なくとも１つの手段とを一体に支持し、電子写真装置本体に着脱自在であることを特徴とするプロセスカートリッジ。
【請求項４】
請求項１または２に記載の電子写真感光体、帯電手段、露光手段、現像手段および転写手段を有することを特徴とする電子写真装置。
【手続補正２】
【補正対象書類名】明細書
【補正対象項目名】０００３
【補正方法】変更
【補正の内容】
【０００３】
なかでも電荷発生層上に電荷輸送層を設けた層構成を有する電子写真感光体は、耐久性に優れており、現在では主流となっている。例えば、トリアリールピラゾリンを含有する電荷移動層を有する感光体（例えば特許文献６）、ペリレン顔料の誘導体からなる電荷発生層と３−プロピレンとホルムアルデヒドの縮合体からなる電荷移動層とからなる感光体（例えば特許文献７）などが開示されている。また、ジスアゾ顔料またはトリスアゾ顔料を電荷発生物質として用いた感光体（例えば特許文献８、９）などがある。さらに、有機光導電性化合物はその化合物によって電子写真感光体の感光波長域を自由に選択することが可能である。例えば、アゾ系の有機顔料に関していえば可視領域で高感度を示すもの（例えば特許文献１０、１１）が開示されており、また赤外領域にまで感度を有しているもの（例えば特許文献１２、１３）もある。
【手続補正３】
【補正対象書類名】明細書
【補正対象項目名】００１１
【補正方法】変更
【補正の内容】
【００１１】
すなわち、本発明は、下記構造式（１）〜（６）のいずれかで示される化合物を含有することを特徴とする電子写真感光体である。
【手続補正４】
【補正対象書類名】明細書
【補正対象項目名】００１３
【補正方法】変更
【補正の内容】
【００１３】
式（１）〜（６）中、Ｘ１およびＸ２は、Ｏ、Ｃ（ＣＮ）Ｒ、Ｃ（ＣＮ）ＣＯＲ、Ｃ（ＣＮ）ＣＯＯＲ、Ｃ（ＣＯＯＲ）２、ＣＨＲまたはＮＲ（Ｒは、置換もしくは無置換の芳香族基または置換もしくは無置換の脂肪族基またはシアノ基を示す。）を示す。
【手続補正５】
【補正対象書類名】明細書
【補正対象項目名】００１４
【補正方法】変更
【補正の内容】
【００１４】
式（１）〜（６）中、Ｒ１〜Ｒ６は、置換もしくは無置換の芳香族基、置換もしくは無置換の脂肪族基、アルコキシ基、エステル基、ニトロ基、シアノ基、ハロゲン原子または水素原子を示す。
【手続補正６】
【補正対象書類名】明細書
【補正対象項目名】００１５
【補正方法】変更
【補正の内容】
【００１５】
また、本発明は、下記構造式（７）〜（１６）のいずれかで示される化合物を含有することを特徴とする電子写真感光体である。
【手続補正７】
【補正対象書類名】明細書
【補正対象項目名】００１７
【補正方法】変更
【補正の内容】
【００１７】
式（７）〜（１６）中、Ｘ１は、Ｏ、Ｃ（ＣＮ）Ｒ、Ｃ（ＣＮ）ＣＯＲ、Ｃ（ＣＮ）ＣＯＯＲ、Ｃ（ＣＯＯＲ）２、ＣＨＲまたはＮＲ（Ｒは、置換もしくは無置換の芳香族基または置換もしくは無置換の脂肪族基またはシアノ基を示す。）を示す。
【手続補正８】
【補正対象書類名】明細書
【補正対象項目名】００１８
【補正方法】変更
【補正の内容】
【００１８】
式（７）〜（１６）中、Ｒ１〜Ｒ６は、置換もしくは無置換の芳香族基、置換もしくは無置換の脂肪族基、アルコキシ基、エステル基、ニトロ基、シアノ基、ハロゲン原子または水素原子を示す。
【手続補正９】
【補正対象書類名】明細書
【補正対象項目名】００２４
【補正方法】変更
【補正の内容】
【００２４】
本発明の電子写真感光体に含有させる、下記構造式（１）〜（１６）のいずれかで示される化合物（キノイド環の両側にピリジル環を有する化合物：以下ビピリジル化合物と略す）は、上記のいずれの構成の電子写真感光体に含有されていてもよい。
【手続補正１０】
【補正対象書類名】明細書
【補正対象項目名】００２６
【補正方法】変更
【補正の内容】
【００２６】
式（１）〜（６）中、Ｘ１およびＸ２は、Ｏ、Ｃ（ＣＮ）Ｒ、Ｃ（ＣＮ）ＣＯＲ、Ｃ（ＣＮ）ＣＯＯＲ、Ｃ（ＣＯＯＲ）２、ＣＨＲまたはＮＲ（Ｒは、置換もしくは無置換の芳香族基または置換もしくは無置換の脂肪族基またはシアノ基を示す。）を示す。
【手続補正１１】
【補正対象書類名】明細書
【補正対象項目名】００２７
【補正方法】変更
【補正の内容】
【００２７】
式（１）〜（６）中、Ｒ１〜Ｒ６は、置換もしくは無置換の芳香族基、置換もしくは無置換の脂肪族基、アルコキシ基、エステル基、ニトロ基、シアノ基、ハロゲン原子または水素原子を示す。
【手続補正１２】
【補正対象書類名】明細書
【補正対象項目名】００２９
【補正方法】変更
【補正の内容】
【００２９】
式（７）〜（１６）中、Ｘ１は、Ｏ、Ｃ（ＣＮ）Ｒ、Ｃ（ＣＮ）ＣＯＲ、Ｃ（ＣＮ）ＣＯＯＲ、Ｃ（ＣＯＯＲ）２、ＣＨＲまたはＮＲ（Ｒは、置換もしくは無置換の芳香族基または置換もしくは無置換の脂肪族基またはシアノ基を示す。）を示す。
【手続補正１３】
【補正対象書類名】明細書
【補正対象項目名】００３０
【補正方法】変更
【補正の内容】
【００３０】
式（７）〜（１６）中、Ｒ１〜Ｒ６は、置換もしくは無置換の芳香族基、置換もしくは無置換の脂肪族基、アルコキシ基、エステル基、ニトロ基、シアノ基、ハロゲン原子または水素原子を示す。
【手続補正１４】
【補正対象書類名】明細書
【補正対象項目名】００３３
【補正方法】変更
【補正の内容】
【００３３】
【表１−２】
2007052063.tif 000003
【手続補正１５】
【補正対象書類名】明細書
【補正対象項目名】００７２
【補正方法】変更
【補正の内容】
【００７２】
次に、アルコール可溶性ポリアミド樹脂（アミランＣＭ８０００：東レ（株）製）１５部をメタノール２００部、ベンジルアルコール１５０部に溶解し、この液（中間層用塗工液）を前記の導電層の上に浸漬塗布方法で塗布して９０℃で１０分間乾燥して、膜厚が０．７μｍの中間層を形成した。
【手続補正１６】
【補正対象書類名】明細書
【補正対象項目名】００７３
【補正方法】変更
【補正の内容】
【００７３】
次に、電荷発生物質（ＣＧＭ）としてＣｕＫα特性Ｘ線回折におけるブラック角（２θ±０．２°）の７．３°、２４．９°、２８．１°に強いピークを有するヒドロキシガリウムフタロシアニン顔料５部、ポリビニルブチラール（商品名エスレックＢＸ−１、積水化学（株）製）２．５部、テトラヒドロフラン２０部およびシクロヘキサノン１５部を、φ１ｍｍガラスビーズを用いたサンドミル装置で２．５時間分散して、その後にテトラヒドロフラン２００部とシクロヘキサノン１００部と、表１に記載のビピリジル化合物Ｅ１−１１を１．５部加えて平均粒径０．１８μｍの電荷発生層用塗料を調製した（堀場製作所製ＣＡＰＡ７００で遠心沈降法で測定）。
【手続補正１７】
【補正対象書類名】明細書
【補正対象項目名】００７５
【補正方法】変更
【補正の内容】
【００７５】
次に、正孔輸送性材料として下記構造式（１７）で示されるアリールアミン化合物５０部および下記構造式（１８）で示される構造を有する平均分子量Ｍｗ＝１００，０００（東ソー（株）製ゲルパーミエーションクロマトグラフィー「ＨＬＣ−８１２０」で測定し、ポリスチレン換算で計算。）のポリアリレート樹脂６０部をモノクロロベンゼン２５０部、テトラヒドロフラン２００部に溶解し、この液を前記の電荷発生層の上に浸漬塗布方法で塗布して１１０℃で６０分間乾燥して、膜厚が２０μｍの正孔輸送層を形成し、電子写真感光体を得た。
【手続補正１８】
【補正対象書類名】明細書
【補正対象項目名】００８２
【補正方法】変更
【補正の内容】
【００８２】
（実施例２〜１５）
表３に記載の処方を用いた以外は実施例１と同様に感光体を作成し評価を行った。結果を表に示す。
（比較例１）
電荷発生層に下記構造式（１９）で示されるビピラジル化合物を加え、表３に記載の処方を用いた以外は実施例１と同様に感光体を作成し評価を行った。結果を表３に示す。
【手続補正１９】
【補正対象書類名】明細書
【補正対象項目名】００８４
【補正方法】変更
【補正の内容】
【００８４】
（比較例２）
電荷発生層に下記構造式（２０）で示されるピリジル化合物を加え、表３に記載の処方を用いた以外は実施例１と同様に感光体を作成し評価を行った。結果を表３に示す。
【手続補正２０】
【補正対象書類名】明細書
【補正対象項目名】００８６
【補正方法】変更
【補正の内容】
【００８６】
（実施例１６〜１８）
正孔輸送性材料として下記構造式（２１）で示されるアリールアミン化合物を用い、表３に記載の処方を用いた以外は実施例１と同様に感光体を作成し評価を行った。結果を表３に示す。
【手続補正２１】
【補正対象書類名】明細書
【補正対象項目名】００８８
【補正方法】変更
【補正の内容】
【００８８】
（実施例１９〜２０）
電荷発生物質をＣｕＫα特性Ｘ線回折におけるブラック角２θ±０．２°の９．０°、１４．２°、２３．９°、２７．１°に強いピークを有するオキシチタニウムフタロシアニン顔料に代え、表３に記載の処方を用いた以外は実施例１と同様にして電子写真感光体を作成し同様な評価を行った。結果を表３に示す。
【手続補正２２】
【補正対象書類名】明細書
【補正対象項目名】００８９
【補正方法】変更
【補正の内容】
【００８９】
（実施例２１）
中間層用塗工液作成の際に表３に記載のビピリジル化合物を加え、表３に記載の処方を用いた以外は実施例１と同様に感光体を作成し評価を行った。結果を表３に示す。
【手続補正２３】
【補正対象書類名】明細書
【補正対象項目名】００９０
【補正方法】変更
【補正の内容】
【００９０】
（実施例２２〜２５）
表３に記載の処方を用いた以外は実施例２１と同様に感光体を作成し評価を行った。結果を表３に示す。
【手続補正２４】
【補正対象書類名】明細書
【補正対象項目名】００９１
【補正方法】変更
【補正の内容】
【００９１】
（比較例３）
中間層に上記構造式（２０）で示されるピリジル化合物を加え、表３に記載の処方を用いた以外は実施例２１と同様に感光体を作成し評価を行った。結果を表３に示す。
【手続補正２５】
【補正対象書類名】明細書
【補正対象項目名】００９２
【補正方法】変更
【補正の内容】
【００９２】
（比較例４）
ビピリジル化合物を加えず、表３に記載の処方を用いた以外は実施例１と同様に感光体を作成し評価を行った。結果を表３に示す。